(57)【要約】      （修正有）【課題】  複数の通信方式で通信可能な移動端末において、通信中の相手端末の状況を考慮しながら、通信方式を切り替えることが可能な移動端末及び通信管理装置を提供する。【解決手段】  通信方式には、ＷＣＤＭＡ方式とＳＩＰに基づく通信方式を含み、携帯電話機１０１は、ＷＣＤＭＡ通信モジュール１３４と、無線ＬＡＮ通信モジュール１３６と、全体制御部１４１とを備える。全体制御部１４１は、ＷＣＤＭＡ方式による携帯電話機１０２との通信中、携帯電話機１０１及び携帯電話機１０２がホットスポット内にあるか否かを判定する。そして、携帯電話機１０１及び携帯電話機１０２の双方がホットスポット内にあると判定した場合、無線ＬＡＮ通信制御部１４２に指示を出し、ＳＩＰに基づく通信方式による通信を確立させる。その後、ＷＣＤＭＡ通信制御部１４３に指示を出し、ＷＣＤＭＡ方式による通信を切断させる。【選択図】  図１
2005136553.tif 000002
【特許請求の範囲】
【請求項１】
複数の通信方式で通信可能な移動体通信端末であって、
前記複数の通信方式は、第１の通信方式と第２の通信方式とを含み、
前記第１の通信方式による通信が可能な第１の無線通信領域は、前記第２の通信方式による通信が可能な第２の無線通信領域よりも広いものであり、
前記第１の通信方式で相手端末と通信を行う第１通信手段と、
前記第２の通信方式で前記相手端末と通信を行う第２通信手段と、
前記相手端末との通信中、自端末が前記第２の無線通信領域内にあるか否かを判定する第１判定手段と、
前記相手端末との通信中、前記相手端末が前記第２の無線通信領域内にあるか否かを判定する第２判定手段と、
前記第１判定手段による判定結果及び前記第２判定手段による判定結果の少なくとも一方に基づき、前記第１通信手段による通信と前記第２通信手段による通信との切り替え制御を行う通信切り替え制御手段とを備える移動体通信端末。
【請求項２】
請求項１記載の移動体通信端末であって、
前記通信切り替え制御手段は、前記第１通信手段による前記相手端末との通信中、前記第１判定手段により前記自端末が前記第２の無線通信領域内にあると判定され、且つ、前記第２判定手段により前記相手端末が前記第２の無線通信領域内にあると判定された場合、前記第１通信手段による通信から前記第２通信手段による通信に切り替える制御を行うものである移動体通信端末。
【請求項３】
請求項２記載の移動体通信端末であって、
前記通信切り替え制御手段は、前記第２通信手段による前記相手端末との回線接続が完了した後、前記第１通信手段による前記相手端末との接続回線を切断する制御を行うものである移動体通信端末。
【請求項４】
請求項３記載の移動体通信端末であって、
前記第１通信手段による前記相手端末との通信中、前記第１判定手段により前記自端末が前記第２の無線通信領域内にあると判定された場合に前記第２通信手段を起動させ、前記第１通信手段による前記相手端末との接続回線が切断された後に前記第１通信手段を停止さる起動制御手段を備える移動体通信端末。
【請求項５】
請求項１〜３のいずれか記載の移動体通信端末であって、
前記通信切り替え制御手段は、前記第２通信手段による前記相手端末との通信中、前記第１判定手段により前記自端末が前記第２の無線通信領域外にあると判定された場合、前記第２通信手段による通信から前記第１通信手段による通信に切り替える制御を行うものである移動体通信端末。
【請求項６】
請求項１〜３のいずれか記載の移動体通信端末であって、
前記通信切り替え制御手段は、前記第２通信手段による前記相手端末との通信中、前記第２判定手段により前記相手端末が前記第２の無線通信領域外にあると判定された場合、前記第２通信手段による通信から前記第１通信手段による通信に切り替える制御を行うものである移動体通信端末。
【請求項７】
請求項５記載の移動体通信端末であって、
前記通信切り替え制御手段は、前記第１通信手段による前記相手端末との回線接続が完了した後、前記第２通信手段による前記相手端末との接続回線を切断する制御を行うものである移動体通信端末。
【請求項８】
請求項６記載の移動体通信端末であって、
前記通信切り替え制御手段は、前記第１通信手段による前記相手端末との回線接続が完了した後、前記第２通信手段による前記相手端末との接続回線を切断する制御を行うものである移動体通信端末。
【請求項９】
請求項７記載の移動体通信端末であって、
前記第２通信手段による前記相手端末との通信中、前記第１判定手段により前記自端末が前記第２の無線通信領域外にあると判定された場合に前記第１通信手段を起動させ、前記第２通信手段による前記相手端末との接続回線が切断された後に前記第２通信手段を停止させる起動制御手段を備える移動体通信端末。
【請求項１０】
請求項８記載の移動体通信端末であって、
前記第２通信手段による前記相手端末との通信中、前記第２判定手段により前記相手端末が前記第２の無線通信領域外にあると判定された場合に前記第１通信手段を起動させ、前記第２通信手段による前記相手端末との接続回線が切断された後に前記第２通信手段を停止させる起動制御手段を備える移動体通信端末。
【請求項１１】
請求項１〜１０のいずれか記載の移動体通信端末であって、
前記第１判定手段は、前記自端末と前記相手端末との通信を管理する通信管理装置から送信される、前記自端末が前記第２の無線通信領域内にあることを通知するための自端末領域内通知情報を基に、前記第１通信手段による前記相手端末との通信中に前記自端末が前記第２の無線通信領域内にあると判定するものであり、
前記第２判定手段は、前記通信管理装置から送信される、前記相手端末が前記第２の無線通信領域内にあることを通知するための相手端末領域内通知情報を基に、前記第１通信手段による前記相手端末との通信中に前記相手端末が前記第２の無線通信領域内にあると判定するものである移動体通信端末。
【請求項１２】
請求項１〜１０のいずれか記載の移動体通信端末であって、
前記第２通信手段による前記相手端末との通信中、前記第２通信手段で受信される電波の強度を検出する電波強度検出手段を備え、
前記第１判定手段は、前記電波強度検出手段により検出された電波の強度に基づき、前記第２通信手段による前記相手端末との通信中に前記自端末が前記第２の無線通信領域内にあるか否かを判定するものである移動体通信端末。
【請求項１３】
請求項１〜１０のいずれか記載の移動体通信端末であって、
前記第２判定手段は、前記自端末と前記相手端末との通信を管理する通信管理装置から送信される、前記相手端末が前記第２の無線通信領域外にあることを通知するための相手端末領域外通知情報を基に、前記第２通信手段による前記相手端末との通信中に前記相手端末が前記第２の無線通信領域外にあると判定するものである移動体通信端末。
【請求項１４】
請求項１〜１３のいずれか記載の移動体通信端末であって、
前記第２の通信方式は、ＳＩＰに基づく通信方式である移動体通信端末。
【請求項１５】
複数の通信方式により通信を行う２つの移動体通信端末間の前記通信を管理する通信管理装置であって、
前記２つの移動体通信端末をそれぞれ自端末及び相手端末とし、
前記複数の通信方式は、第１の通信方式と第２の通信方式とを含み、
前記第１の通信方式による通信が可能な第１の無線通信領域は、前記第２の通信方式による通信が可能な第２の無線通信領域よりも広いものであり、
前記自端末及び相手端末の位置情報を検出する位置情報検出手段と、
前記第２の無線通信領域の領域情報と前記位置情報とに基づいて、前記自端末と前記相手端末とが通信中に前記自端末及び相手端末が前記第２の無線通信領域内にあるか否かを判定する領域内判定手段と、
前記領域内判定手段の判定結果を通知するための通知情報を前記自端末に送信する通知情報送信手段とを備える通信管理装置。
【請求項１６】
請求項１５記載の通信管理装置であって、
前記通知情報は、前記第１の通信方式による前記自端末と前記相手端末との通信中に前記自端末が前記第２の無線通信領域内にあることを通知するための自端末領域内通知情報と、前記第１の通信方式による前記自端末と前記相手端末との通信中に前記相手端末が前記第２の無線通信領域内にあることを通知するための相手端末領域内通知情報とを含むものである通信管理装置。
【請求項１７】
請求項１５又は１６記載の通信管理装置であって、
前記通知情報は、前記第２の通信方式による前記自端末と前記相手端末との通信中に前記相手端末が前記第２の無線通信領域外にあることを通知するための相手端末領域外通知情報を含むものである通信管理装置。
【請求項１８】
請求項１５〜１７のいずれか記載の通信管理装置であって、
前記第２の通信方式は、ＳＩＰに基づく通信方式である通信管理装置。
【発明の詳細な説明】
【技術分野】
【０００１】
本発明は、複数の通信方式で通信可能な移動体通信端末及び該通信を管理する通信管理装置に関する。
【背景技術】
【０００２】
近年、ＩＰ網を利用した固定ＩＰ電話が普及しつつある。ＩＰ網を利用した通話の場合、他の通信方式（例えば、ＷＣＤＭＡ方式）に比べて通話料金が安くなるという利点がある。又、移動体通信の分野でも、ＩＰ接続可能な領域、いわゆるホットスポットに移動体通信端末がある場合、ＩＰ網を利用した通話を提供することができれば、ユーザにとって大きな利点となる。
【０００３】
しかし、ホットスポットは、他の通信方式（例えば、ＷＣＤＭＡ方式）に比べてその通信エリアは極めて狭く、散在している。このため、ＷＣＤＭＡ方式による通話中に移動体通信端末が物理的に移動している場合、ホットスポットに入ったり出たりすることが想定される。この場合、ＷＣＤＭＡ方式からＩＰ方式へ（又はその逆）と、通話が途切れないように、通信方式を切り替える技術が必要となる。
【０００４】
このような通信方式を切り替える技術として、通話中に異なる通信方式の通信エリアに移動する際、自動的に基地局を切り替えて通信を継続する、いわゆるハンドオーバを可能とする技術が知られている（例えば、特許文献１参照）。特許文献１では、通信中に２つの無線通信システムの重複サービス領域に移動してハンドオーバが可能な条件が整った段階で、新たな無線通信システムに適合できる環境を整備し、新旧両無線通信システムでの通信をそれぞれ稼動させ、その後に、電界強度が閾値以下となった方の無線通信システムを利用した通信接続を切断し、残された方の無線通信システムを利用した通信を継続させることで、異種無線通信システム間のハンドオーバを円滑に行うことが示されている。
【０００５】
又、通話開始時に回線交換による通話とＩＰ通話とを自動的に切り替える通信方式が知られている（例えば、特許文献２参照）。
【０００６】
【特許文献１】特開２００２−２９１０１１号公報（段落０１１３〜０１７２）
【０００７】
【特許文献２】特開２００１−２５１４４０号公報
【発明の開示】
【発明が解決しようとする課題】
【０００８】
しかしながら、特許文献１には、自端末が異なる通信方式の通信エリアに移動した際に、自端末と基地局間のハンドオーバを行う技術が記載されているものの、通信中の相手端末を考慮したハンドオーバを行うことについては何も示されていない。
【０００９】
本発明は、複数の通信方式で通信可能な移動体通信端末において、通信中の相手端末の状況を考慮しながら、現在の通信方式による通信から他の通信方式による通信に切り替えることが可能な移動体通信端末及び該移動体通信端末による通信を管理する通信管理装置を提供することを目的とする。
【課題を解決するための手段】
【００１０】
本発明の移動体通信端末は、複数の通信方式で通信可能な移動体通信端末であって、前記複数の通信方式は、第１の通信方式と第２の通信方式とを含み、前記第１の通信方式による通信が可能な第１の無線通信領域は、前記第２の通信方式による通信が可能な第２の無線通信領域よりも広いものであり、前記第１の通信方式で相手端末と通信を行う第１通信手段と、前記第２の通信方式で前記相手端末と通信を行う第２通信手段と、前記相手端末との通信中、自端末が前記第２の無線通信領域内にあるか否かを判定する第１判定手段と、前記相手端末との通信中、前記相手端末が前記第２の無線通信領域内にあるか否かを判定する第２判定手段と、前記第１判定手段による判定結果及び前記第２判定手段による判定結果の少なくとも一方に基づき、前記第１通信手段による通信と前記第２通信手段による通信との切り替え制御を行う通信切り替え制御手段とを備える。
【００１１】
又、本発明の移動体通信端末は、前記通信切り替え制御手段が、前記第１通信手段による前記相手端末との通信中、前記第１判定手段により前記自端末が前記第２の無線通信領域内にあると判定され、且つ、前記第２判定手段により前記相手端末が前記第２の無線通信領域内にあると判定された場合、前記第１通信手段による通信から前記第２通信手段による通信に切り替える制御を行うものである。
【００１２】
この構成により、第１通信手段による通信中、自端末と相手端末との双方が第２の無線通信領域内に入った場合に、自端末と相手端末との通信を、第１通信手段による通信から第２通信手段による通信に切り替える。このため、自端末と相手端末とが通信中であっても、異なる通信方式に切り替えることができる。
【００１３】
又、本発明の移動体通信端末は、前記通信切り替え制御手段が、前記第２通信手段による前記相手端末との回線接続が完了した後、前記第１通信手段による前記相手端末との接続回線を切断する制御を行うものである。
【００１４】
この構成により、第２通信手段による相手端末との回線接続が完了した後、第１通信手段による相手端末との接続回線を切断するため、通信が途切れるのを防止することができる。
【００１５】
又、本発明の移動体通信端末は、前記第１通信手段による前記相手端末との通信中、前記第１判定手段により前記自端末が前記第２の無線通信領域内にあると判定された場合に前記第２通信手段を起動させ、前記第１通信手段による前記相手端末との接続回線が切断された後に前記第１通信手段を停止させる起動制御手段を備える。
【００１６】
この構成により、第１通信手段と第２通信手段とが常に同時に起動していることがなくなるため、低消費電力を実現することができる。
【００１７】
又、本発明の移動体通信端末は、前記通信切り替え制御手段が、前記第２通信手段による前記相手端末との通信中、前記第１判定手段により前記自端末が前記第２の無線通信領域外にあると判定された場合、前記第２通信手段による通信から前記第１通信手段による通信に切り替える制御を行うものである。
【００１８】
又、本発明の移動体通信端末は、前記通信切り替え制御手段が、前記第２通信手段による前記相手端末との通信中、前記第２判定手段により前記相手端末が前記第２の無線通信領域外にあると判定された場合、前記第２通信手段による通信から前記第１通信手段による通信に切り替える制御を行うものである。
【００１９】
この構成により、第２通信手段による通信中、自端末又は相手端末が第２の無線通信領域外に出た場合に、自端末と相手端末との通信を、第２通信手段による通信から第１通信手段による通信に切り替える。このため、自端末と相手端末とが通信中であっても、異なる通信方式に切り替えることができる。
【００２０】
又、本発明の移動体通信端末は、前記通信切り替え制御手段が、前記第１通信手段による前記相手端末との回線接続が完了した後、前記第２通信手段による前記相手端末との接続回線を切断する制御を行うものである。
【００２１】
又、本発明の移動体通信端末は、前記通信切り替え制御手段が、前記第１通信手段による前記相手端末との回線接続が完了した後、前記第２通信手段による前記相手端末との接続回線を切断する制御を行うものである。
【００２２】
この構成により、第１通信手段による相手端末との回線接続が完了した後、第２通信手段による相手端末との接続回線を切断するため、通信が途切れるのを防止することができる。
【００２３】
又、本発明の移動体通信端末は、前記第２通信手段による前記相手端末との通信中、前記第１判定手段により前記自端末が前記第２の無線通信領域外にあると判定された場合に前記第１通信手段を起動させ、前記第２通信手段による前記相手端末との接続回線が切断された後に前記第２通信手段を停止させる起動制御手段を備える。
【００２４】
又、本発明の移動体通信端末は、前記第２通信手段による前記相手端末との通信中、前記第２判定手段により前記相手端末が前記第２の無線通信領域外にあると判定された場合に前記第１通信手段を起動させ、前記第２通信手段による前記相手端末との接続回線が切断された後に前記第２通信手段を停止させる起動制御手段を備える。
【００２５】
この構成により、第１通信手段と第２通信手段とが常に同時に起動していることがなくなるため、低消費電力を実現することができる。
【００２６】
又、本発明の移動体通信端末は、前記第１判定手段が、前記自端末と前記相手端末との通信を管理する通信管理装置から送信される、前記自端末が前記第２の無線通信領域内にあることを通知するための自端末領域内通知情報を基に、前記第１通信手段による前記相手端末との通信中に前記自端末が前記第２の無線通信領域内にあると判定するものであり、前記第２判定手段が、前記通信管理装置から送信される、前記相手端末が前記第２の無線通信領域内にあることを通知するための相手端末領域内通知情報を基に、前記第１通信手段による前記相手端末との通信中に前記相手端末が前記第２の無線通信領域内にあると判定するものである。
【００２７】
又、本発明の移動体通信端末は、前記第２通信手段による前記相手端末との通信中、前記第２通信手段で受信される電波の強度を検出する電波強度検出手段を備え、前記第１判定手段が、前記電波強度検出手段により検出された電波の強度に基づき、前記第２通信手段による前記相手端末との通信中に前記自端末が前記第２の無線通信領域内にあるか否かを判定するものである。
【００２８】
又、本発明の移動体通信端末は、前記第２判定手段が、前記自端末と前記相手端末との通信を管理する通信管理装置から送信される、前記相手端末が前記第２の無線通信領域外にあることを通知するための相手端末領域外通知情報を基に、前記第２通信手段による前記相手端末との通信中に前記相手端末が前記第２の無線通信領域外にあると判定するものである。
【００２９】
又、本発明の移動体通信端末は、前記第２の通信方式が、ＳＩＰに基づく通信方式である。
【００３０】
本発明の通信管理装置は、複数の通信方式により通信を行う２つの移動体通信端末間の前記通信を管理する通信管理装置であって、前記２つの移動体通信端末をそれぞれ自端末及び相手端末とし、前記複数の通信方式は、第１の通信方式と第２の通信方式とを含み、前記第１の通信方式による通信が可能な第１の無線通信領域は、前記第２の通信方式による通信が可能な第２の無線通信領域よりも広いものであり、前記自端末及び相手端末の位置情報を検出する位置情報検出手段と、前記第２の無線通信領域の領域情報と前記位置情報とに基づいて、前記自端末と前記相手端末とが通信中に前記自端末及び相手端末が前記第２の無線通信領域内にあるか否かを判定する領域内判定手段と、前記領域内判定手段の判定結果を通知するための通知情報を前記自端末に送信する通知情報送信手段とを備える。
【００３１】
又、本発明の通信管理装置は、前記通知情報が、前記第１の通信方式による前記自端末と前記相手端末との通信中に前記自端末が前記第２の無線通信領域内にあることを通知するための自端末領域内通知情報と、前記第１の通信方式による前記自端末と前記相手端末との通信中に前記相手端末が前記第２の無線通信領域内にあることを通知するための相手端末領域内通知情報とを含むものである。
【００３２】
又、本発明の通信管理装置は、前記通知情報が、前記第２の通信方式による前記自端末と前記相手端末との通信中に前記相手端末が前記第２の無線通信領域外にあることを通知するための相手端末領域外通知情報を含むものである。
【００３３】
又、本発明の通信管理装置は、前記第２の通信方式が、ＳＩＰに基づく通信方式である。
【発明の効果】
【００３４】
本発明によれば、通信中の相手端末の状況を考慮しながら、現在の通信方式による通信から他の通信方式による通信に切り替えることが可能な移動体通信端末及び該移動体通信端末による通信を管理する通信管理装置を提供することができる。
【発明を実施するための最良の形態】
【００３５】
以下、本発明の実施形態を説明するための携帯電話機やＰＨＳ等の移動体通信端末、該移動体通信端末同士の通信を管理するサーバ等の通信管理装置について図面を参照しながら説明する。以下では、移動体通信端末を携帯電話機、通信管理装置をサーバとして説明する。携帯電話機及びサーバは、以下に示す移動体通信システムに適用される。
【００３６】
（第一実施形態）
図１は、本発明の第一実施形態を説明するための移動体通信システムの概略構成を示す図である。
移動体通信システムは、複数の基地局により構成される通信エリア及び交換局等を含むＷＣＤＭＡネットワーク１０５を介して、ＷＣＤＭＡサーバ１０３、携帯電話機１０１、及び携帯電話機１０２等が接続されるとともに、アクセスポイントにより構成される複数のホットスポット及び交換局等を含む無線ＬＡＮネットワーク１０７を介して、無線ＬＡＮサーバ１０６、携帯電話機１０１、及び携帯電話機１０２等が接続された構成を有する。ＷＣＤＭＡサーバ１０３と無線ＬＡＮサーバ１０６とは、図示しないインターネットや専用線等のネットワークにより通信可能となっている。以下の説明では、便宜上、携帯電話機１０１を自端末、携帯電話機１０２を相手端末と呼ぶこともある。
【００３７】
図２は、図１の移動体通信システムにおける通信エリアを示す図である。
図２に示すように、図１の移動体通信システムにおける通信エリアには、基地局２２により構成される複数のＷＣＤＭＡ通信エリア２０（ＷＣＤＭＡ方式による通信が可能な領域）と、アクセスポイント２３により構成される複数のホットスポット２１（ＶｏＩＰやＳＩＰ等に基づくＩＰ通信が可能な領域）とが含まれる。交換局２４により、複数のＷＣＤＭＡ通信エリア２０同士を接続し、複数のホットスポット２１同士を接続することで、ＷＣＤＭＡネットワーク１０５及び無線ＬＡＮネットワーク１０７が形成されている。図２に示すように、ホットスポット２１は、ＷＣＤＭＡ通信エリア２０よりも遥かに狭い領域となっている。尚、ＷＣＤＭＡは、Wideband Code Division Multiple Accessの略である。ＶｏＩＰは、Voice over Internet Protocolの略である。ＳＩＰは、Session Initiation Protocolの略である。
【００３８】
ＷＣＤＭＡサーバ１０３は、キャリアによって管理され、制御部１１１、位置情報検出部１１２、通信部１１３、統計情報データベース（ＤＢ）１１４、リソース情報データベース（ＤＢ）１１５、及び通知条件データベース（ＤＢ）１１６を有する。
【００３９】
位置情報検出部１１２は、基地局２２又は交換局２４からの情報（無線強度の情報等）を利用して、携帯電話機１０１及び携帯電話機１０２の位置情報を定期的に検出する。
【００４０】
統計情報ＤＢ１１４は、ホットスポット２１の場所や大きさ等を示す領域情報とを予め記憶する。リソース情報ＤＢ１１５は、携帯電話機１０１や携帯電話機１０２に割り当てるべきＩＰアドレス等のリソース情報を記憶する。
【００４１】
制御部１１１は、ＷＣＤＭＡサーバ１０３内に記憶されたプログラムによって動作するプロセッサを主体に構成され、ＷＣＤＭＡサーバ１０３全体を制御する。制御部１１１は、通信部１１３を介し、ＷＣＤＭＡ方式に基づいて携帯電話機１０１と携帯電話機１０２との通信を制御する。
【００４２】
制御部１１１は、位置情報検出部１１２で検出された位置情報と統計情報ＤＢ１１４とを用い、携帯電話機１０１と携帯電話機１０２とが通信中（ＷＣＤＭＡネットワーク１０５を介した通信中又は無線ＬＡＮネットワーク１０７を介した通信中）に、携帯電話機１０１及び携帯電話機１０２がホットスポット２１圏内にあるか否かを判定し、判定結果を携帯電話機１０１又は携帯電話機１０２に通知するための通知情報（自端末圏内通知情報及び相手端末圏内通知情報）を通信部１１３から携帯電話機１０１又は携帯電話機１０２に送信させる。制御部１１１は、無線ＬＡＮサーバ１０６から受信した相手端末通知登録情報を通知条件ＤＢ１１６に記憶する。
【００４３】
自端末圏内通知情報の信号フォーマットを以下の表１に示す。相手端末圏内通知情報の信号フォーマットを以下の表２に示す。相手端末圏内通知登録情報の信号フォーマットを以下の表３に示す。相手端末圏内通知情報の信号フォーマットは、ＳＩＰのＮＯＴＩＦＹメソッドが用いられる。相手端末通知登録情報の信号フォーマットは、ＳＩＰのＳＵＢＳＣＲＩＢＥメソッドが用いられる。
【００４４】
【表１】
2005136553.tif 000003
【表２】
2005136553.tif 000004
【表３】
2005136553.tif 000005
【００４５】
自端末圏内通知情報とは、ＷＣＤＭＡネットワーク１０５を介して携帯電話機１０１と携帯電話機１０２とが通話中に、携帯電話機１０１がホットスポット２１圏内にあることを通知するための情報である。表１に示すように、自端末圏内通知情報には、携帯電話機１０１の識別子（電話番号等）のみのものと、携帯電話機１０１の識別子と携帯電話機１０１に割り当てられたＩＰアドレスとの２つを含むものとがある。
【００４６】
相手端末通知登録情報とは、「ある条件になったときに、あるアクションを起こして欲しい」といった内容を登録するための情報である。表２に示すように、相手端末通知登録情報には、携帯電話機１０１の通話相手である携帯電話機１０２の識別子等の情報と、その相手端末がどういう状況になった場合に、アクションを起こすかを指定する通知条件を示した通知条件識別子の情報とが含まれる。通知条件識別子として、例えば、「０１」では、「相手端末がホットスポット２１圏内なら通知せよ」という条件が設定され、「０２」では、「相手端末がホットスポット２１圏外なら通知せよ」という条件が設定される。
【００４７】
相手端末圏内通知情報とは、ＷＣＤＭＡネットワーク１０５を介して携帯電話機１０１と携帯電話機１０２とが通話中に、携帯電話機１０２がホットスポット２１圏内にあることを通知するための情報である。相手端末圏内通知情報には、相手端末が圏外であることを示す情報と、相手端末の識別子とが含まれている。
【００４８】
無線ＬＡＮサーバ１０６は、制御部１２１、位置情報検出部１２２、通信部１２３、統計情報データベース（ＤＢ）１２４、リソース情報データベース（ＤＢ）１２５、及び通知条件データベース（ＤＢ）１２６を有する。
【００４９】
位置情報検出部１２２は、アクセスポイント２３又は交換局２４からの情報（無線強度の情報等）を利用して、携帯電話機１０１及び携帯電話機１０２の位置情報を定期的に検出する。
【００５０】
統計情報ＤＢ１２４は、アクセスポイント２３又は交換局２４からの情報（無線強度の情報等）を利用して予め生成したホットスポット２１の場所や大きさ等を示す領域情報を記憶する。リソース情報ＤＢ１２５は、携帯電話機１０１や携帯電話機１０２に割り当てるべきＩＰアドレス等のリソース情報を記憶する。
【００５１】
制御部１２１は、無線ＬＡＮサーバ１０６内に記憶されたプログラムによって動作するプロセッサを主体に構成され、無線ＬＡＮサーバ１０６全体を制御する。制御部１２１は、通信部１２２を介し、無線ＬＡＮネットワーク１０７を介した携帯電話機１０１と携帯電話機１０２との通信をＳＩＰに基づいて制御する。
【００５２】
制御部１２１は、位置情報検出部１２２で検出した位置情報と統計情報ＤＢ１２４とを用い、携帯電話機１０１と携帯電話機１０２との通信中（無線ＬＡＮネットワーク１０７を介した通信中）に、携帯電話機１０１又は携帯電話機１０２がホットスポット２１圏外にあるか否かを判定し、判定結果を携帯電話機１０１又は携帯電話機１０２に通知するための通知情報（相手端末圏外通知情報）を通信部１２３から携帯電話機１０１又は携帯電話機１０２に送信させる。制御部１２１は、携帯電話機１０１又は携帯電話機１０２から受信した相手端末通知登録情報を通知条件ＤＢ１２６に記憶する。
【００５３】
相手端末圏外通知情報の信号フォーマットを以下の表４に示す。相手端末圏外通知情報の信号フォーマットは、ＳＩＰのＮＯＴＩＦＹメソッドが用いられる
【００５４】
【表４】
2005136553.tif 000006
【００５５】
相手端末圏外通知情報とは、無線ＬＡＮネットワーク１０７を介して携帯電話機１０１と携帯電話機１０２とが通話中に、携帯電話機１０２がホットスポット圏外にあることを携帯電話機１０１に通知するための情報である。表４に示すように、相手端末圏外通知情報には、相手端末が圏外であることを示す情報と、相手端末の識別子とが含まれている。
【００５６】
通信部１２２は、無線ＬＡＮネットワーク１０７を介して携帯電話機１０１又は携帯電話機１０２から送信されてくる情報をＷＣＤＭＡサーバ１０３に転送したり、ＷＣＤＭＡサーバ１０３からの情報を携帯電話機１０１や携帯電話機１０２に転送したりする。
【００５７】
携帯電話機１０１は、通信制御管理部１３１、電話アプリケーション１３２、ＷＣＤＭＡ通信処理部１３３、ＷＣＤＭＡ通信モジュール１３４、無線ＬＡＮ通信処理部１３５、及び無線ＬＡＮ通信モジュール１３６を有する。
【００５８】
通信制御管理部１３１には、全体制御部１４１、無線ＬＡＮ通信制御部１４２、ＷＣＤＭＡ通信制御部１４３、起動制御部１４４、無線ＬＡＮ状態管理データベース（ＤＢ）１４５、及びＷＣＤＭＡ状態管理データベース（ＤＢ）１４６が設けられている。尚、携帯電話機１０２の構成も携帯電話機１０１と同じであるので、その説明を省略する。
【００５９】
電話アプリケーション１３２は、電話に関するユーザインタフェースを司るアプリケーションである。
【００６０】
無線ＬＡＮ通信制御部１４２は、ＳＩＰに基づき、無線ＬＡＮネットワーク１０７を介した通信の制御を行う。ＷＣＤＭＡ通信制御部１４３は、ＷＣＤＭＡ方式に基づき、ＷＣＤＭＡネットワーク１０５を介した通信の制御を行う。起動制御部１４４は、ＷＣＤＭＡ通信モジュール１３４及び無線ＬＡＮモジュール１３６の起動及び停止を制御する。ここで言う停止とは、完全な停止ではなく、消費電力が非常に小さい、いわゆるスタンバイ状態にあることを言う。
【００６１】
無線ＬＡＮ状態管理ＤＢ１４５は、無線ＬＡＮを利用したＩＰシグナリングの通信状態を管理する。ＷＣＤＭＡ状態管理ＤＢ１４６は、ＷＣＤＭＡ方式による通信状態を管理する。
【００６２】
ＷＣＤＭＡ通信処理部１３３は、ＷＣＤＭＡ通信モジュール１３４で送受信するデータの符号化及び復号化等の各種信号処理を行う。無線ＬＡＮ通信処理部１３５は、無線ＬＡＮ通信モジュール１３６で送受信するデータの符号化及び復号化等の各種信号処理を行う。ＷＣＤＭＡ通信モジュール１３４は、アンテナ等によりＷＣＤＭＡネットワーク１０５と接続する。無線ＬＡＮ通信モジュール１３６は、アンテナ等により無線ＬＡＮネットワーク１０７に接続する。
【００６３】
全体制御部１４１は、携帯電話機１０１内に記憶されたプログラムによって動作するプロセッサを主体に構成される。
全体制御部１４１は、ＷＣＤＭＡネットワーク１０５を介して携帯電話機１０１と携帯電話機１０２とが通話中、又は、無線ＬＡＮネットワーク１０７を介して携帯電話機１０１と携帯電話機１０２とが通話中に、携帯電話機１０１及び携帯電話機１０２がホットスポット２１圏内にあるか否かを判定する。
【００６４】
全体制御部１４１は、ＷＣＤＭＡネットワーク１０５を介して携帯電話機１０１と携帯電話機１０２とが通話中、又は、無線ＬＡＮネットワーク１０７を介して携帯電話機１０１と携帯電話機１０２とが通話中に、携帯電話機１０２がホットスポット２１圏内にあるか否かを判定する。
【００６５】
全体制御部１４１は、上記２つの判定結果の少なくとも一方に基づき、ＷＣＤＭＡネットワーク１０５による通信と無線ＬＡＮネットワーク１０７による通信との切り替え制御を行う。
【００６６】
以下、図１に示した移動体通信システムの動作について説明する。
図３及び４は、図１に示した移動体通信システムの動作を説明するためのシーケンスチャートである。
ＷＣＤＭＡネットワーク１０５を介して携帯電話機１０１と携帯電話機１０２とが通話中（Ｓ３０１）、ＷＣＤＭＡサーバ１０３は、定期的に携帯電話機１０１及び携帯電話機１０２の位置情報を検出する（Ｓ３０２）。位置情報を検出する度に、ＷＣＤＭＡサーバ１０３は、検出した位置情報と、統計情報ＤＢ１１４に記憶されている領域情報とに基づき、携帯電話機１０１がホットスポット２１圏内に入ったか否かを判定する。
【００６７】
携帯電話機１０１の位置情報が領域情報に基づくホットスポット２１内に入っており、携帯電話機１０１がホットスポット２１圏内にあると判定した場合（Ｓ３０３：ＹＥＳ）、ＷＣＤＭＡサーバ１０３は、自端末圏内通知情報を生成し、生成した自端末圏内通知情報をＷＣＤＭＡネットワーク１０５を介して携帯電話機１０１に送信する（Ｓ３０４）。自端末圏内通知情報の送信は、ＷＣＤＭＡのマルチコール機能を利用し、メールのプッシュ機能のように、ＷＣＤＭＡサーバ１０３側の主導で行われる。一方、携帯電話機１０１の位置情報が領域情報に基づくホットスポット２１内に入っておらず、携帯電話機１０１がホットスポット２１圏外にあると判定した場合（Ｓ３０３：ＮＯ）、ＷＣＤＭＡサーバ１０３は、位置情報の検出を繰り返す。
【００６８】
携帯電話機１０１の全体制御部１４１は、ＷＣＤＭＡネットワーク１０５を介して携帯電話機１０１と携帯電話機１０２とが通話を開始した後に、ＷＣＤＭＡサーバ１０３から自端末圏内通知情報を受信した場合に、携帯電話機１０１がホットスポット２１圏内にあると判定し、ＷＣＤＭＡサーバ１０３から自端末圏内通知情報を受信しない場合に、携帯電話機１０１がホットスポット圏外にあると判定する。
【００６９】
自端末圏内通知情報を受信した携帯電話機１０１の全体制御部１４１は、携帯電話機１０１がホットスポット２１圏内にあると判定し、起動制御部１４４に指示を出し、停止中の無線ＬＡＮモジュール１３６を起動させる（Ｓ３０５）。一方、自端末圏内通知情報を受信しなかった場合、携帯電話機１０１では、無線ＬＡＮモジュール１３６が起動せず、ＷＣＤＭＡネットワーク１０５を介した通話が継続される。
【００７０】
自端末圏内通知情報が自端末識別情報のみからなるものであった場合、携帯電話機１０１は、無線ＬＡＮモジュール１３６の起動後、ＤＨＣＰでＩＰアドレスを取得し、取得したＩＰアドレスを無線ＬＡＮモジュール１３６に設定する。自端末圏内通知情報がＩＰアドレスを含むものであった場合、携帯電話機１０１は、無線ＬＡＮモジュール１３６の起動後、自端末圏内通知情報に含まれるＩＰアドレスを無線ＬＡＮモジュール１３６に設定する。
【００７１】
その後、全体制御部１４１は、通知条件識別子を「０１」に設定した相手端末通知登録情報を生成する。そして、無線ＬＡＮ通信制御部１４２に、上記生成した相手端末通知登録情報を無線ＬＡＮサーバ１０６に送信させるよう指示する。これにより、相手端末通知登録情報が無線ＬＡＮモジュール１３６から無線ＬＡＮサーバ１０６に送信される（Ｓ３０６）。
【００７２】
相手端末通知登録情報を受信した無線ＬＡＮサーバ１０６は、相手端末通知登録情報に含まれる通知条件識別子が「０１」であるため、相手端末通知登録情報をＷＣＤＭＡサーバ１０３に送信する（Ｓ３０７）。
【００７３】
ＷＣＤＭＡサーバ１０３は、受信した相手端末通知登録情報を通知条件ＤＢに登録し（Ｓ３０８）、登録完了信号を無線ＬＡＮサーバ１０６に送信する（Ｓ３０９）。無線ＬＡＮサーバ１０６は、受信した登録完了信号を携帯電話機１０１に送信する（Ｓ３１０）。
【００７４】
その後、ＷＣＤＭＡサーバ１０３は、携帯電話機１０１及び携帯電話機１０２の位置情報を定期的に検出する（Ｓ３１１）。位置情報を検出する度に、ＷＣＤＭＡサーバ１０３は、検出した位置情報と統計情報ＤＢ１１４に記憶されている領域情報とに基づき、携帯電話機１０２がホットスポット２１圏内に入ったか否かを判定する。
【００７５】
携帯電話機１０２の位置情報が領域情報に基づくホットスポット２１内に入っており、携帯電話機１０２がホットスポット２１圏内にあると判定した場合（Ｓ３１２：ＹＥＳ）、ＷＣＤＭＡサーバ１０３は、相手端末圏内通知情報を生成し、生成した相手端末圏内通知情報を無線ＬＡＮサーバ１０６に送信する（Ｓ３１３）。無線ＬＡＮサーバ１０６は、受信した相手端末圏内通知情報を携帯電話機１０１に送信する（Ｓ３１４）。一方、携帯電話機１０２の位置情報が領域情報に基づくホットスポット２１内に入っておらず、携帯電話機１０２がホットスポット２１圏外にあると判定した場合（Ｓ３１２：ＮＯ）、ＷＣＤＭＡサーバ１０３は位置情報の検出を繰り返す。
【００７６】
全体制御部１４１は、無線ＬＡＮサーバ１０６から相手端末圏内通知情報を受信すると、携帯電話機１０２がホットスポット２１圏内にあると判定し、無線ＬＡＮ通信制御部１４２に、携帯電話機１０１と携帯電話機１０２とを無線ＬＡＮネットワーク１０７により接続するよう指示する。一方、無線ＬＡＮサーバ１０６から相手端末圏内通知情報を受信しなかった場合、携帯電話機１０２がホットスポット２１圏外にあると判定し、ＷＣＤＭＡネットワーク１０５を介した通話が継続させる。
【００７７】
上記指示により、無線ＬＡＮ通信制御部１４２は、携帯電話機１０１と携帯電話機１０２とを無線ＬＡＮネットワーク１０７により回線接続するための制御を行い、無線ＬＡＮ接続要求が携帯電話機１０１から無線ＬＡＮサーバ１０６に対して行われる（Ｓ３１５）。無線ＬＡＮ接続要求の信号フォーマットとして、ＳＩＰのＩＮＶＩＴＥメソッドが用いられる。
【００７８】
無線ＬＡＮサーバ１０６は、無線ＬＡＮ接続要求に応じて交換局２４に指示を出し、携帯電話機１０１と携帯電話機１０２とを無線ＬＡＮネットワーク１０７により回線接続させる。回線接続が完了すると、無線ＬＡＮサーバ１０６は、接続完了信号を携帯電話機１０１に送信する（Ｓ３１６）。接続完了信号のフォーマットとして、ＳＩＰのコード２００のＯＫ応答が用いられる。
【００７９】
接続完了信号を受信した携帯電話機１０１の全体制御部１４１は、通知条件識別子を「０２」に設定した相手端末通知登録情報を生成する。そして、無線ＬＡＮ通信制御部１４２に、上記生成した相手端末通知登録情報を無線ＬＡＮサーバ１０６に送信させるよう指示する。これにより、相手端末通知登録情報が無線ＬＡＮモジュール１３６から無線ＬＡＮサーバ１０６に送信される（Ｓ３１７）。
【００８０】
相手端末通知登録情報を受信した無線ＬＡＮサーバ１０６は、相手端末通知登録情報に含まれる通知条件識別子が「０２」であるため、相手端末通知登録情報を通知条件ＤＢ１２６に登録し（Ｓ３１８）、登録完了信号を携帯電話機１０１に送信する（Ｓ３１９）。
【００８１】
登録完了信号が携帯電話機１０１で受信されると、全体制御部１４１は、ＷＣＤＭＡ通信モジュール１３４で送受信していた音声データを、無線ＬＡＮ通信モジュール１３６で送受信させるように、無線ＬＡＮ通信制御部１４２及びＷＣＤＭＡ通信制御部１４３に指示を出す。これにより、携帯電話機１０１と携帯電話機１０２との通話が、ＷＣＤＭＡネットワーク１０５を介した通話から無線ＬＡＮネットワーク１０７を介した通話へと切り替わる（Ｓ３２０）。
【００８２】
そして、全体制御部１４１は、ＷＣＤＭＡ通信制御部１４３に、ＷＣＤＭＡネットワーク１０５で接続されている携帯電話機１０１と携帯電話機１０２との回線を切断するよう指示する。この指示により、ＷＣＤＭＡ通信制御部１４３は、ＷＣＤＭＡネットワーク１０５で接続されている携帯電話機１０１と携帯電話機１０２との回線を切断するための制御を行い、ＷＣＤＭＡ切断要求が携帯電話機１０１からＷＣＤＭＡサーバ１０３に対して行われる（Ｓ３２１）。このＷＣＤＭＡ切断要求の信号フォーマットとして、３ＧＰＰの規約通りの信号フォーマットが用いられる。
【００８３】
ＷＣＤＭＡサーバ１０３は、ＷＣＤＭＡ切断要求に応じて交換局２４に指示を出し、ＷＣＤＭＡネットワーク１０５で接続されている携帯電話機１０１と携帯電話機１０２との回線を切断させる。回線切断完了後、ＷＣＤＭＡサーバ１０３は、Ｓ３０８で登録した内容を削除し、切断完了信号を携帯電話機１０１に送信する（Ｓ３２２）。この切断完了の信号フォーマットとして、３ＧＰＰの規約通りの信号フォーマットが用いられる。
【００８４】
切断完了信号を受信した携帯電話機１０１の全体制御部１４１は、起動制御部１４４に指示を出し、ＷＣＤＭＡモジュール１３４を停止させる（Ｓ３２３）。
【００８５】
無線ＬＡＮネットワーク１０７を介して携帯電話機１０１と携帯電話機１０２とが通話中、無線ＬＡＮサーバ１０６は、定期的に携帯電話機１０２の位置情報を検出する（Ｓ３２４）。位置情報を検出する度に、無線ＬＡＮサーバ１０６は、検出した位置情報と統計情報ＤＢ１２４に記憶されている領域情報とに基づき、携帯電話機１０２がホットスポット２１圏内にあるか否かを判定する。
【００８６】
携帯電話機１０２の位置情報が領域情報に基づくホットスポット２１内に入っておらず、携帯電話機１０２がホットスポット２１圏外にあると判定した場合（Ｓ３２５：ＹＥＳ）、無線ＬＡＮサーバ１０６は、相手端末圏外通知情報を生成し、生成した相手端末圏外通知情報を無線ＬＡＮネットワーク１０７を介して携帯電話機１０１に送信する（Ｓ３２６）。一方、携帯電話機１０２の位置情報が領域情報に基づくホットスポット２１内に入っており、携帯電話機１０２がホットスポット２１圏内にあると判定した場合（Ｓ３２５：ＮＯ）、無線ＬＡＮサーバ１０６は、位置情報の検出を繰り返す。
【００８７】
全体制御部１４１は、無線ＬＡＮサーバ１０６から相手端末圏外通知情報を受信した場合、携帯電話機１０２がホットスポット２１圏外にあると判定し、起動制御部１４４に指示を出し、ＷＣＤＭＡ通信モジュール１３４を起動させる（Ｓ３２７）。一方、無線ＬＡＮサーバ１０６から相手端末圏外通知情報を受信しなかった場合、携帯電話機１０２がホットスポット２１圏内にあると判定し、ＷＣＤＭＡ通信モジュール１３４を起動させず、無線ＬＡＮネットワーク１０７を介した通話を継続させる。
【００８８】
ＷＣＤＭＡ通信モジュール１３４の起動後、全体制御部１４１は、ＷＣＤＭＡ通信制御部１４３に、携帯電話機１０１と携帯電話機１０２とをＷＣＤＭＡネットワーク１０５により接続するよう指示する。上記指示により、ＷＣＤＭＡ通信制御部１４３は、携帯電話機１０１と携帯電話機１０２とをＷＣＤＭＡネットワーク１０５により回線接続するための制御を行い、ＷＣＤＭＡ接続要求が携帯電話機１０１からＷＣＤＭＡサーバ１０３に対して行われる（Ｓ３２８）。
【００８９】
ＷＣＤＭＡサーバ１０３は、ＷＣＤＭＡ接続要求に応じて交換局２４に指示を出し、携帯電話機１０１と携帯電話機１０２とをＷＣＤＭＡネットワーク１０５により回線接続させる。回線接続が完了すると、ＷＣＤＭＡサーバ１０３は、接続完了信号を携帯電話機１０１に送信する（Ｓ３２９）。
【００９０】
接続完了信号を受信した携帯電話機１０１の全体制御部１４１は、無線ＬＡＮ通信モジュール１３６で送受信していた音声データを、ＷＣＤＭＡ通信モジュール１３４で送受信させるように、無線ＬＡＮ通信制御部１４２及びＷＣＤＭＡ通信制御部１４３に指示を出す。これにより、携帯電話機１０１と携帯電話機１０２との通話が、無線ＬＡＮネットワーク１０７を介した通話からＷＣＤＭＡネットワーク１０５を介した通話へと切り替わる（Ｓ３３０）。
【００９１】
そして、全体制御部１４１は、無線ＬＡＮ通信制御部１４２に、無線ＬＡＮネットワーク１０７で接続されている携帯電話機１０１と携帯電話機１０２との回線を切断するよう指示する。この指示により、無線ＬＡＮ通信制御部１４２は、無線ＬＡＮネットワーク１０７で接続されている携帯電話機１０１と携帯電話機１０２との回線を切断するための制御を行い、無線ＬＡＮ切断要求が携帯電話機１０１から無線ＬＡＮサーバ１０６に対して行われる（Ｓ３３１）。この無線ＬＡＮ切断要求の信号フォーマットとして、ＳＩＰのＢＹＥメソッドが用いられる。
【００９２】
無線ＬＡＮサーバ１０６は、無線ＬＡＮ切断要求に応じて交換局２４に指示を出し、無線ＬＡＮネットワーク１０７で接続されている携帯電話機１０１と携帯電話機１０２との回線を切断させる。回線切断完了後、無線ＬＡＮサーバ１０６は、切断完了信号を携帯電話機１０１に送信する（Ｓ３３２）。
【００９３】
切断完了信号を受信した携帯電話機１０１の全体制御部１４１は、起動制御部１４４に指示を出し、無線ＬＡＮモジュール１３６を停止させる（Ｓ３３３）。このように、移動体通信システムでは、携帯電話機１０１と携帯電話機１０２とが通話している間、以上の処理を繰り返し行う。
【００９４】
以上のように、図１の移動体通信システムによれば、地理的に広いＷＣＤＭＡエリア２０内に、地理的に狭いホットスポット２１が散在している状況において、携帯電話機１０１と携帯電話機１０２は、ＷＣＤＭＡネットワーク１０５による通話を行いながら、ＷＣＤＭＡネットワーク１０５による通話よりも料金の安い無線ＬＡＮネットワーク１０７による通話に切り替えることができる。又、無線ＬＡＮネットワーク１０７による通話中に、携帯電話機１０２がホットスポット２１圏外に出た場合には、無線ＬＡＮネットワーク１０７による通話からＷＣＤＭＡネットワーク１０５による通話へと切り替えることができる。
【００９５】
このため、携帯電話機１０１及び携帯電話機１０２のユーザは、お互いに移動しながら、ＷＣＤＭＡネットワーク１０５による通話や無線ＬＡＮネットワーク１０７による通話を状況に応じて切り替えて行うことができる。したがって、ユーザにとってメリットのあるサービスが実現可能となる。
【００９６】
又、ＷＣＤＭＡネットワーク１０５による通話から無線ＬＡＮネットワーク１０７による通話に切り替える場合、無線ＬＡＮネットワーク１０７による回線接続が完了してから、ＷＣＤＭＡネットワーク１０５による回線を切断するため、携帯電話機１０１と携帯電話機１０２との通話が途切れるのを防止することができる。
【００９７】
又、ＷＣＤＭＡ通信モジュール１３４と無線ＬＡＮ通信モジュール１３６は、必要な場合にのみ起動するようになっているため、携帯電話機１０１の消費電力を小さくすることができ、通話時間や待受時間の延長を図ることができる。
【００９８】
尚、上記では、携帯電話機１０１と携帯電話機１０２とがＷＣＤＭＡネットワーク１０５による通話中に、携帯電話機１０１がホットスポット２１圏内に入ったことを、ＷＣＤＭＡサーバ１０３が判定し、その旨を携帯電話機１０１に通知するようにしているが、携帯電話機１０１にＷＣＤＭＡサーバ１０３と同等の機能を持たせておいても良い。この場合、例えば、携帯電話機１０１の全体制御部１４１は、ＷＣＤＭＡネットワーク１０５を介して携帯電話機１０２と通話中、携帯電話機１０１の持つＧＰＳ受信機等からの位置情報と、予め携帯電話機１０１に記憶されているホットスポット２１の領域情報と基づいて、携帯電話機１０１がホットスポット２１圏内にあるか否かを判定するようにすれば良い。
【００９９】
又、上記では、ＷＣＤＭＡサーバ１０３と無線ＬＡＮサーバ１０６とを別々に設けているが、両者を１つのサーバで実現することも可能である。
【０１００】
（第二実施形態）
第一実施形態では、無線ＬＡＮネットワーク１０７を介して携帯電話機１０１と携帯電話機１０２とが通話中、携帯電話機１０２がホットスポット２１圏外に出た場合に、無線ＬＡＮネットワーク１０７を介した通話からＷＣＤＭＡネットワーク１０５を介した通話へと切り替える例を説明したが、本実施形態では、無線ＬＡＮネットワーク１０７を介して携帯電話機１０１と携帯電話機１０２とが通話中、携帯電話機１０１がホットスポット２１圏外に出た場合に、無線ＬＡＮネットワーク１０７を介した通話からＷＣＤＭＡネットワーク１０５を介した通話へと切り替える例を説明する。
【０１０１】
図５は、本発明の第二実施形態を説明するための移動体通信システムの概略構成を示す図である。図１と同様の構成には、同一符号を付して説明を省略する。
図５に示す移動体通信システムは、図１に示す移動体通信システムの携帯電話機１０１の構成に、電波強度検出部１４７を追加したものである。電波強度検出部１４７は、無線ＬＡＮ通信モジュール１３６により携帯電話機１０２との通信が行われている間、無線ＬＡＮ通信モジュール１３６で受信される電波の強度を検出し、検出した電波強度情報を全体制御部１４１に通知するものである。
【０１０２】
全体制御部１４１は、無線ＬＡＮネットワーク１０７を介して携帯電話機１０１と携帯電話機１０２とが通話中に、電波強度検出部１４７から通知される電波強度情報を監視し、電波強度が予め定めた所定値以下になった場合に、携帯電話機１０１がホットスポット２１圏外にあると判定し、電波強度が予め定めた所定値を上回る場合に、携帯電話機１０１がホットスポット２１圏内にあると判定する。
【０１０３】
以下、本発明の第二実施形態を説明するための移動体通信システムの動作について説明する。
図６、７は、本発明の第二実施形態を説明するための移動体通信システムの動作を説明するためのシーケンスチャートである。尚、図３、４と同様のシーケンスには同一符号を付して説明を省略する。
【０１０４】
無線ＬＡＮサーバ１０６から接続完了通知を受信すると（Ｓ３１６）、全体制御部１４１は、ＷＣＤＭＡ通信モジュール１３４で送受信していた音声データを、無線ＬＡＮ通信モジュール１３６で送受信させるように、無線ＬＡＮ通信制御部１４２及びＷＣＤＭＡ通信制御部１４３に指示を出す。これにより、携帯電話機１０１と携帯電話機１０２との通話が、ＷＣＤＭＡネットワーク１０５を介した通話から無線ＬＡＮネットワーク１０７を介した通話へと切り替わる（Ｓ４０１）。
【０１０５】
その後、全体制御部１４１は、ＷＣＤＭＡ通信制御部１４３に、ＷＣＤＭＡネットワーク１０５で接続される携帯電話機１０１と携帯電話機１０２との回線を切断するよう指示する。この指示により、ＷＣＤＭＡ通信制御部１４３は、ＷＣＤＭＡネットワーク１０５で接続されている携帯電話機１０１と携帯電話機１０２との回線を切断するための制御を行い、ＷＣＤＭＡ切断要求が携帯電話機１０１からＷＣＤＭＡサーバ１０３に対して行われる（Ｓ４０２）。このＷＣＤＭＡ切断要求の信号フォーマットとして、３ＧＰＰの規約通りの信号フォーマットが用いられる。
【０１０６】
ＷＣＤＭＡサーバ１０３は、ＷＣＤＭＡ切断要求に応じて交換局２４に指示を出し、ＷＣＤＭＡネットワーク１０５で接続されている携帯電話機１０１と携帯電話機１０２との回線を切断させる。回線切断完了後、ＷＣＤＭＡサーバ１０３は、Ｓ３０８で登録した内容を削除し、切断完了信号を携帯電話機１０１に送信する（Ｓ４０３）。この切断完了の信号フォーマットとして、３ＧＰＰの規約通りの信号フォーマットが用いられる。
【０１０７】
切断完了信号を受信した携帯電話機１０１の全体制御部１４１は、起動制御部１４４に指示を出し、ＷＣＤＭＡモジュール１３４を停止させる（Ｓ４０４）。
【０１０８】
無線ＬＡＮネットワーク１０７を介して携帯電話機１０１と携帯電話機１０２とが通話中、携帯電話機１０１は、無線ＬＡＮ通信モジュール１３６で受信される電波強度を定期的に検出する（Ｓ４０５）。
【０１０９】
全体制御部１４１は、上記検出された電波強度に基づき、携帯電話機１０１がホットスポット２１圏内にあるか否かを判定する。携帯電話機１０１がホットスポット２１圏外にあると判定した場合（Ｓ４０６：ＹＥＳ）、全体制御部１４１は、起動制御部１４４に指示を出し、ＷＣＤＭＡ通信モジュール１３４を起動させる（Ｓ４０７）。一方、携帯電話機１０１がホットスポット２１圏内にあると判定した場合（Ｓ４０６：ＮＯ）、全体制御部１４１は、上記判定を繰り返す。
【０１１０】
ＷＣＤＭＡ通信モジュール１３４の起動後、全体制御部１４１は、ＷＣＤＭＡ通信制御部１４３に、携帯電話機１０１と携帯電話機１０２とをＷＣＤＭＡネットワーク１０５により接続するよう指示する。上記指示により、ＷＣＤＭＡ通信制御部１４３は、携帯電話機１０１と携帯電話機１０２とをＷＣＤＭＡネットワーク１０５により回線接続するための制御を行い、ＷＣＤＭＡ接続要求が携帯電話機１０１からＷＣＤＭＡサーバ１０３に対して行われる（Ｓ４０８）。
【０１１１】
ＷＣＤＭＡサーバ１０３は、ＷＣＤＭＡ接続要求に応じて交換局２４に指示を出し、携帯電話機１０１と携帯電話機１０２とをＷＣＤＭＡネットワーク１０５により回線接続させる。回線接続が完了すると、ＷＣＤＭＡサーバ１０３は、接続完了信号を携帯電話機１０１に送信する（Ｓ４０９）。
【０１１２】
接続完了信号を受信した携帯電話機１０１の全体制御部１４１は、無線ＬＡＮ通信モジュール１３６で送受信していた音声データを、ＷＣＤＭＡ通信モジュール１３４で送受信させるように、無線ＬＡＮ通信制御部１４２及びＷＣＤＭＡ通信制御部１４３に指示を出す。これにより、携帯電話機１０１と携帯電話機１０２との通話が、無線ＬＡＮネットワーク１０７を介した通話からＷＣＤＭＡネットワーク１０５を介した通話へと切り替わる（Ｓ４１０）。
【０１１３】
そして、全体制御部１４１は、無線ＬＡＮ通信制御部１４２に、無線ＬＡＮネットワーク１０７で接続されている携帯電話機１０１と携帯電話機１０２との回線を切断するよう指示する。この指示により、無線ＬＡＮ通信制御部１４２は、無線ＬＡＮネットワーク１０７で接続されている携帯電話機１０１と携帯電話機１０２との回線を切断するための制御を行い、無線ＬＡＮ切断要求が携帯電話機１０１から無線ＬＡＮサーバ１０６に対して行われる（Ｓ４１１）。無線ＬＡＮ切断要求の信号フォーマットとして、ＳＩＰのＢＹＥメソッドが用いられる。
【０１１４】
無線ＬＡＮサーバ１０６は、無線ＬＡＮ切断要求に応じて交換局２４に指示を出し、無線ＬＡＮネットワーク１０７で接続されている携帯電話機１０１と携帯電話機１０２との回線を切断させる。回線切断完了後、無線ＬＡＮサーバ１０６は、切断完了信号を携帯電話機１０１に送信する（Ｓ４１２）。
【０１１５】
切断完了信号を受信した携帯電話機１０１の全体制御部１４１は、起動制御部１４４に指示を出し、無線ＬＡＮモジュール１３６を停止させる（Ｓ４１３）。このように、移動体通信システムでは、携帯電話機１０１と携帯電話機１０２とが通話している間、以上の処理を繰り返し行う。
【０１１６】
以上のように、図５に示す移動体通信システムによれば、携帯電話機１０１と携帯電話機１０２とが無線ＬＡＮネットワーク１０７を介した通話中に、携帯電話機１０１がホットスポット２１外に出た場合、無線ＬＡＮネットワーク１０７による通話からＷＣＤＭＡネットワーク１０５による通話へと切り替える。このため、通話中の２人の一方がホットスポット２１外に出たとしても、２人の通話は継続したままとすることができるため、通話中の２人は自由に移動しながら通話することができる。
【０１１７】
尚、全体制御部１４１は、電波強度検出部１４７で検出される電波強度が所定値以下である場合に、携帯電話機１０１がホットスポット２１圏外であると判定しているが、電波強度が所定値以下である状態が所定時間内に所定回数生じた場合に、携帯電話機１０１がホットスポット２１圏外であると判定するようにしてもよい。
【０１１８】
又、無線ＬＡＮサーバ１０６が、アクセスポイント２３又は交換局２４から携帯電話機１０１の電波強度の情報を取得し、取得した情報を基に、携帯電話機１０１がホットスポット２１圏外にあることを判定し、その旨を携帯電話機１０１に通知するようにしても良い。携帯電話機１０１では、この通知があった場合に、自機がホットスポット２１圏外にあると判定して、Ｓ４０７〜Ｓ４１３までの処理を行えば良い。
【０１１９】
又、第一実施形態及び第二実施形態の説明においては、携帯電話機１０１と携帯電話機１０２とが通話している場合を例にして説明したが、通話に限らず、データ通信中であっても同様の効果が得られる。
【０１２０】
又、第一実施形態及び第二実施形態の説明において、「携帯電話機１０１がホットスポット２１圏内にある」とは、携帯電話機１０１が、無線ＬＡＮ通信モジュール１３６による通信が可能な状態になったことを示し、「携帯電話機１０１がホットスポット２１圏外にある」とは、携帯電話機１０１が、無線ＬＡＮ通信モジュール１３６による通信が不可能な状態になったことを示している。無線ＬＡＮ通信モジュール１３６による通信が不可能な状態には、現在は通信可能だが所定時間後には通信不可能になるであろう状態も含むものとする。
【０１２１】
又、第一実施形態及び第二実施形態の説明において、無線ＬＡＮネットワーク１０７を介した携帯電話機１０１と携帯電話機１０２との通信をＳＩＰを用いた例で説明を行ったが、同様の機能を持つ他のプロトコルで実現することも可能である。
【図面の簡単な説明】
【０１２２】
【図１】本発明の第一実施形態を説明するための移動体通信システムの概略構成を示す図
【図２】本発明の第一実施形態を説明するための移動体通信システムの通信エリアを示す図
【図３】本発明の第一実施形態を説明するための移動体通信システムの動作を説明するためのシーケンスチャート
【図４】本発明の第一実施形態を説明するための移動体通信システムの動作を説明するためのシーケンスチャート
【図５】本発明の第二実施形態を説明するための移動体通信システムの概略構成を示す図
【図６】本発明の第二実施形態を説明するための移動体通信システムの動作を説明するためのシーケンスチャート
【図７】本発明の第二実施形態を説明するための移動体通信システムの動作を説明するためのシーケンスチャート
【符号の説明】
【０１２３】
１０１、１０２  携帯電話機
１３４  ＷＣＤＭＡ通信モジュール
１３６  無線ＬＡＮ通信モジュール
１４１  全体制御部
１４２  無線ＬＡＮ通信制御部
１４３  ＷＣＤＭＡ通信制御部
【図１】
2005136553.tif 000007
【図２】
2005136553.tif 000008
【図３】
2005136553.tif 000009
【図４】
2005136553.tif 000010
【図５】
2005136553.tif 000011
【図６】
2005136553.tif 000012
【図７】
2005136553.tif 000013